(57)【要約】【課題】ロック部材をロックさせたいときにロック位置に必ず移動させることができる足場用踏み板を提供する。【解決手段】踏み板のロック部材２７Ａはフック部材２２Ａに対してロック位置、第１の非ロック位置及び第２の非ロック位置の移動位置を有する。第１の非ロック位置は、横パイプ１２の離脱を許容する。第２の非ロック位置は、ロック位置と第１の非ロック位置との間に位置して横パイプ１２の離脱を許容する。ロック部材２７Ａの上端は、ロック部材２７Ａが、第１の非ロック位置と第２の非ロック位置の間にある場合は、掛止凹部５１の上部への重なりを有するように形成されている。ロック部材２７Ａの上端は、第２の非ロック位置にロック部材２７Ａが位置している状態で、横パイプ１２が当接して上方への押圧があると横パイプ１２との当接を保持した状態でロック位置に移動させる。【選択図】図７
2019011603.tif 000002
【特許請求の範囲】
【請求項１】
長手方向の端部にフック部材及びロック部材を少なくとも有する足場用踏み板であって、
前記フック部材は足場用横架部材に掛け止めする掛止凹部を有し、
前記ロック部材は、前記フック部材、または、前記フック部材と並設して前記長手方向の端部に設けられた支持部材に移動自在に支持されて、前記ロック部材の下端によって前記掛止凹部の下部に有する開口の開口量を調節する移動位置には、前記掛止凹部の前記開口からの前記足場用横架部材の離脱を阻止するロック位置、前記足場用横架部材の離脱を許容する第１の非ロック位置及び前記ロック位置と第１の非ロック位置との間に位置して前記足場用横架部材の離脱を許容する第２の非ロック位置を含み、
前記ロック部材の上端は、前記ロック部材が、第１の非ロック位置と第２の非ロック位置の間にある場合は、前記掛止凹部の上部への重なりを有するように形成されているとともに、第２の非ロック位置に前記ロック部材が位置している状態で、前記足場用横架部材が当接して上方への押圧があった場合は、該足場用横架部材との当接を保持した状態で、ロック位置に移動させる足場用踏み板。
【請求項２】
前記ロック位置は、前記ロック部材の上端が前記掛止凹部の上部との重なりがなく配置され、前記ロック部材の下端が、前記掛止凹部の開口と重なるように前記足場用横架部材と干渉可能に位置して前記足場用横架部材の掛止凹部からの離脱を防止するものである請求項１に記載の足場用踏み板。
【請求項３】
前記第１の非ロック位置は、前記ロック部材の上端が、前記掛止凹部の上部に重なるように配置され、
前記ロック部材の下端が、前記ロック位置に位置するときよりも掛止凹部の開口を前記足場用横架部材が係入離脱可能に開放するものである請求項１または請求項２に記載の足場用踏み板。
【請求項４】
前記第２の非ロック位置は、前記ロック部材の上端は、前記第１の非ロック位置に位置するときよりも、下方に位置するように配置され、前記ロック部材の下端が、前記第１の非ロック位置に位置するときよりも前記掛止凹部の開口の開口量を少なくして前記足場用横架部材の係入離脱可能に開放する請求項１乃至請求項３のうちいずれか１項に記載の足場用踏み板。
【請求項５】
前記フック部材、または、前記支持部材には、第１ガイドピン及び第２ガイドピンが上下に配置され、
前記ロック部材は、ともに長孔状をなす第１ガイド孔及び第２ガイド孔が、ハ字状に配置されて、各ガイド孔に対して前記第１ガイドピン及び前記第２ガイドピンがそれぞれ摺動自在に挿入されており、
前記ロック部材が前記ロック位置に位置するときは、前記第１ガイドピン及び第２ガイドピンの少なくともいずれか一方が前記第１ガイド孔及び前記第２ガイド孔の上端に対して係止し、
前記ロック部材が前記第１の非ロック位置に位置するときは前記ロック部材の上端が、前記足場用横架部材に当接して上方へ押圧された状態で、前記第１ガイドピンが前記第１ガイド孔の下端が有する第１移動規制部に当接係止し、かつ、前記第２ガイドピンが前記第２ガイド孔の下端が有する第２移動規制部に当接係止し、
前記ロック部材が前記第２の非ロック位置に位置するときは、前記第１ガイドピンが、前記第１ガイド孔の上下両端間の上部内周面において、中間部に凹設された係止凹部に係止する請求項１乃至請求項４のうちいずれか１項に記載の足場用踏み板。
【発明の詳細な説明】
【技術分野】
【０００１】
本発明は、足場用踏み板に関する。
【背景技術】
【０００２】
建築現場、或いは既存の建築物の補修時に足場が構築されている。足場は、例えば、縦パイプと足場用横架部材としての横パイプとが連結された枠体を各階毎に高さ方向に積み上げるとともに、各階の枠体の横パイプ間には、足場用踏み板が水平に架設される（特許文献１参照）。
【０００３】
前記足場用踏み板は、長手方向に延出された布板部と、前記布板部の長手方向の両端部に設けられ、かつ幅方向において離間する一対のフック部材を１組とする２組のフック部を有しているものが多い。各組のフック部は、前記枠体の横パイプに掛けられる。
【０００４】
ここで、図８（ａ）〜図８（ｃ）を参照して、従来のフック部材と該フック部材に設けられたロック部材の一例について説明する。
図８（ａ）〜図８（ｃ）に示すように、フック部材１００は、横パイプ１０４に対して掛け止めするための掛止凹部１０１を有しており、掛止凹部１０１の開口１０１ａは下方の外部空間と連通されている。開口１０１ａの開口距離は横パイプ１０４の直径よりも長くされている。
【０００５】
前記フック部材１００の厚み方向の側面には、ロック部材１０２が設けられている。また、フック部材１００において、横パイプ１０４の延出方向（図８（ａ）〜図８（ｃ）の紙面と直交する方向）の一側面における上部側部位及び下部側部位には、一対のピン１０３、１０５が同方向へ向くように突出されている。
【０００６】
ロック部材１０２は、上下に配置された長孔状のガイド孔１０６、１０８が透設されていて、側面視した場合では、両ガイド孔１０６、１０８はハ字状に配置されている。両ガイド孔１０６、１０８には前記ピン１０３、１０５がそれぞれ抜け出し不能に挿入されている。ロック部材１０２は、ガイド孔１０６、１０８が許容する範囲において、すなわち、ロック位置と非ロック終端位置間において、フック部材１００が掛けられて掛止凹部１０１内に係入された横パイプ１０４の周りを回転自在（移動自在）となっている。
【０００７】
図８（ｂ）に示すように、ガイド孔１０６の下端１０６ｂは、掛止凹部１０１側に寄るように屈折されて、下端１０６ｂ内周の掛止凹部１０１側を移動規制部１０６ｃとし、非ロック終端位置のときは、ピン１０３が移動規制部１０６ｃに係止可能としている。また、図８（ｂ）に示すように、ガイド孔１０８の下端１０８ｂは、掛止凹部１０１側に寄るように屈折されており、下端１０８ｂ内周の反掛止凹部１０１側を移動規制部１０８ｃとし、非ロック終端位置のときは、ピン１０５が移動規制部１０８ｃに係止可能としている。
【０００８】
＜非ロック終端位置＞
ロック部材１０２が非ロック終端位置に位置すると、図８（ｂ）の側面視において、ロック部材１０２の下端が、開口１０１ａと重なった位置から退避しており、開口１０１ａを横パイプ１０４の直径よりも大きく開放するようにしている。このようにロック部材１０２が非ロック終端位置に位置すると、掛止凹部１０１内の横パイプ１０４は開口１０１ａから外部空間へ相対的に移動できるようにしている。
【０００９】
また、ロック部材１０２が非ロック終端位置に位置すると、ロック部材１０２の上端１０２ａが掛止凹部１０１の上部と重なるように進出し、掛止凹部１０１内に横パイプ１０４が係入されている場合、横パイプ１０４に対して当接可能となっている。
【００１０】
すなわち、非ロック終端位置に位置したロック部材１０２は、掛止凹部１０１内の横パイプ１０４に上端１０２ａが当接すると、ピン１０３、１０５がガイド孔１０６、１０８の移動規制部１０６ｃ、１０８ｃにそれぞれ係止する。このように、ロック部材１０２は３点で当接及び係止されることにより拘束されてこの位置に保持される。
【００１１】
＜ロック位置＞
一方、図８（ａ）に示すように、ロック部材１０２がロック位置に位置するときは、ロック部材１０２が自重により、ピン１０３、１０５に対してガイド孔１０６、１０８の上端１０６ａ、１０８ａにて係止するようにしている。
【００１２】
ロック部材１０２がロック位置に位置すると、ロック部材１０２の下端が、開口１０１ａを狭くするように進出して、図８（ａ）に示すように側面視において、ロック部材１０２の下端と、反ロック部材側の開口１０１ａの一端との距離が横パイプ１０４の直径よりも、短くするようにしている。このようにロック部材１０２がロック位置に位置することにより、掛止凹部１０１内の横パイプ１０４は開口１０１ａから外部空間へ相対的に移動できないようにしている。
【００１３】
また、ロック部材１０２がロック位置に位置すると、ロック部材１０２の上端１０２ａは、掛止凹部１０１に重ならないように退出し、掛止凹部１０１内でフック部材１００に係止されている横パイプ１０４に対して当接しないようにしている。
【００１４】
＜非ロック中間位置＞
図８（ｃ）に示すように、ガイド孔１０６の上端１０６ａと下端１０６ｂ間の中間部において、反掛止凹部１０１側の内周面には、係止凹部１０６ｄがピン１０３を係入離脱可能に凹設されている。係止凹部１０６ｄにピン１０３が係入し、かつ、ガイド孔１０８において、ピン１０５が移動規制部１０８ｃから離脱して中間部に位置するロック部材１０２の位置を、非ロック中間位置としている。
【００１５】
図８（ｃ）に示すように、非ロック中間位置では、側面視において、ロック部材１０２は、非ロック終端位置に位置している場合よりもその下端が下方へ、かつ、開口１０１ａを狭める位置に位置するように配置されるが、この場合においても、開口１０１ａを横パイプ１０４の直径よりも大きく開放するようにしている。すなわち、図８（ｃ）に示すロック部材１０２の非ロック中間位置においては、掛止凹部１０１内の横パイプ１０４は開口１０１ａから外部空間へ相対的に移動できるようにしている。
【００１６】
また、ロック部材１０２が非ロック中間位置に位置すると、係止凹部１０６ｄとピン１０３間、及びピン１０５とガイド孔１０８間との遊びの許容範囲で、ロック部材１０２がピン１０３の周りで揺動自在とされている。このようにロック部材１０２が非ロック中間位置に位置している状態で揺動自在とされていることにより、ロック部材１０２は、掛止凹部１０１内に係入した横パイプ１０４が上端１０２ａに当接された際に揺動されて、上端１０２ａの掛止凹部１０１との重なりを解消するようにされている。
【００１７】
（１）足場用踏み板の解体時
前記足場用踏み板が組付けられている足場を解体する場合は、下記のように行っている。
【００１８】
まず、図示しない布板部の長手方向の一端部側の各ロック部材１０２を、作業者は図８（ａ）に示すロック位置から図８（ｂ）に示す非ロック終端位置に位置させた状態にする。このとき、図８（ｂ）に示すように、ロック部材１０２は、上端１０２ａが掛止凹部１０１と重なるように進出し、掛止凹部１０１内に係入されている横パイプ１０４に対して当接し、ピン１０３、１０５がガイド孔１０６、１０８の移動規制部１０６ｃ、１０８ｃにそれぞれ係止することにより、拘束されてこの位置に保持される。
【００１９】
この後、図示しない足場用踏み板を上方へ持ち上げると、図８（ｃ）に示すように、ロック部材１０２は、その上端１０２ａの横パイプ１０４への当接がなくなり、ロック部材１０２の拘束が解除される。この拘束の解除により、ロック部材１０２は、自重で下方へ移動し、係止凹部１０６ｄにピン１０３が係入し、ピン１０５は、ガイド孔１０８において、中間部に位置する非ロック中間位置に移動する。
【００２０】
この状態では、掛止凹部１０１内の横パイプ１０４は開口１０１ａから外部空間へ相対的に移動できるため、さらに足場用踏み板を上方へ移動させて、横パイプ１０４をフック部材１００の開口１０１ａから抜け出させる。
【００２１】
図示しない布板部の長手方向の他端部側における各ロック部材１０２についても同様に行われる。このようにして足場用踏み板は、横パイプに対する掛け止めが解消されて撤収される。
【００２２】
次に、足場用踏み板を横パイプ１０４に掛け渡す場合について説明する。
（２）足場用踏み板の組立時
図９（ａ）に示すように、ロック部材１０２が非ロック中間位置に位置している状態で、足場用踏み板を横パイプ１０４に掛け渡す場合がある。
【００２３】
この場合、図９（ａ）に示す状態で、フック部材１００（足場用踏み板）を横パイプ１０４に掛ける。このときのフック部材１００の掛け方に勢いがあると、ロック部材１０２の上端１０２ａが、掛止凹部１０１内に係入された横パイプ１０４に急激に当たり、この衝撃によってロック部材１０２が下方へ回動されてピン１０３と係止凹部１０６ｄとの係合が解除される。この係合が開錠されることにより、ロック部材１０２は、非ロック中間位置から、ロック位置へ移動する（図９（ｂ）参照）。このようにして、フック部材１００の掛止凹部１０１内に係入した横パイプ１０４に対して足場用踏み板が掛けられる。
【００２４】
（３）足場用踏み板の組立時
また、図１０（ａ）に示すように、ロック部材１０２がロック位置に位置している状態であって、ロック部材１０２の下端の下方から横パイプ１０４をフック部材１００の掛止凹部１０１内に係入させることにより、足場用踏み板を横パイプ１０４に掛け渡す場合がある。この場合は、図１０（ａ）、図１０（ｂ）に示すように、足場用踏み板を横パイプ１０４の上方から下方へ移動させて、横パイプ１０４にロック部材１０２の下端を押し当てる。
【００２５】
すると、ロック部材１０２は、ピン１０３、１０５とガイド孔１０６、１０８とが摺接して上方へ移動し、ロック部材１０２の下端と掛止凹部１０１の開口１０１ａとの重なりが減少する。そして、開口１０１ａとロック部材１０２の下端間の離間距離が、横パイプ１０４の直径よりも大きく開放されると、掛止凹部１０１内に横パイプ１０４が係入されて横パイプ１０４に足場用踏み板が掛け渡される。
【００２６】
また、掛止凹部１０１内に横パイプ１０４が係入されると、横パイプ１０４によるロック部材１０２の下端への上方への押圧が解除されるため、ロック部材１０２は、自重により、ロック位置側へ移動する。
【先行技術文献】
【特許文献】
【００２７】
【特許文献１】特開２００９−４１３２８号公報
【発明の概要】
【発明が解決しようとする課題】
【００２８】
ところが、「（２）足場用踏み板の組立時」においては、フック部材１００（足場用踏み板）を横パイプ１０４に掛ける勢いがない場合がある。この場合には、図９（ａ）に示すように、ロック部材１０２は、非ロック中間位置に位置しているものの、ロック部材１０２は、その上端１０２ａが横パイプ１０４に押されて、係止凹部１０６ｄとピン１０３間、及びピン１０５とガイド孔１０８間との遊びの許容範囲で、ロック部材１０２がピン１０３の周りで揺動する。この場合は、ロック部材１０２は、ロック位置に自重で移動しないため、作業者が手で操作して、係止凹部１０６ｄからピン１０３を離脱させた後、ロック部材１０２を自重で、図９（ｂ）に示すロック位置まで移動させている。このため、作業者が、図９（ｂ）に示すロック位置まで移動させる必要があり、手間が要する問題がある。
【００２９】
また、「（３）足場用踏み板の組立時」においては、掛止凹部１０１内に横パイプ１０４が係入されると、横パイプ１０４によりロック部材１０２の下端への上方への押圧が解除されるため、ロック部材１０２は、自重により、ロック位置側へ移動させるようにしているが、ロック位置へ移動するとは限らず、非ロック中間位置に位置することもある。この場合には、作業者は、手作業で、非ロック中間位置から非ロック終端位置までロック部材１０２を移動させる必要がある。
【００３０】
本発明の目的は、ロック部材をロックさせたいときにロック位置に必ず移動させることができる足場用踏み板を提供することにある。
【課題を解決するための手段】
【００３１】
上記問題点を解決するために、本発明の足場用踏み板は、長手方向の端部にフック部材及びロック部材を少なくとも有する足場用踏み板であって、前記フック部材は足場用横架部材に掛け止めする掛止凹部を有し、前記ロック部材は、前記フック部材、または、前記フック部材と並設して前記長手方向の端部に設けられた支持部材に移動自在に支持されて、前記ロック部材の下端によって前記掛止凹部の下部に有する開口の開口量を調節する移動位置には、前記掛止凹部の前記開口からの前記足場用横架部材の離脱を阻止するロック位置、前記足場用横架部材の離脱を許容する第１の非ロック位置及び前記ロック位置と第１の非ロック位置との間に位置して前記足場用横架部材の離脱を許容する第２の非ロック位置を含み、前記ロック部材の上端は、前記ロック部材が、第１の非ロック位置と第２の非ロック位置の間にある場合は、前記掛止凹部の上部への重なりを有するように形成されているとともに、第２の非ロック位置に前記ロック部材が位置している状態で、前記足場用横架部材が当接して上方への押圧があった場合は、該足場用横架部材との当接を保持した状態で、ロック位置に移動させるものである。
【００３２】
また、前記ロック位置は、前記ロック部材の上端が前記掛止凹部の上部との重なりがなく配置され、前記ロック部材の下端が、前記掛止凹部の開口と重なるように前記足場用横架部材と干渉可能に位置して前記足場用横架部材の掛止凹部からの離脱を防止することが好ましい。
【００３３】
また、前記第１の非ロック位置は、前記ロック部材の上端が、前記掛止凹部の上部に重なるように配置され、前記ロック部材の下端が、前記ロック位置に位置するときよりも掛止凹部の開口を前記足場用横架部材が係入離脱可能に開放することが好ましい。
【００３４】
また、前記第２の非ロック位置は、前記ロック部材の上端は、前記第１の非ロック位置に位置するときよりも、下方に位置するように配置され、前記ロック部材の下端が、前記第１の非ロック位置に位置するときよりも前記掛止凹部の開口の開口量を少なくして前記足場用横架部材の係入離脱可能に開放することが好ましい。
【００３５】
また、前記フック部材、または、前記支持部材には、第１ガイドピン及び第２ガイドピンが上下に配置され、前記ロック部材は、ともに長孔状をなす第１ガイド孔及び第２ガイド孔が、ハ字状に配置されて、各ガイド孔に対して前記第１ガイドピン及び前記第２ガイドピンがそれぞれ摺動自在に挿入されており、前記ロック部材が前記ロック位置に位置するときは、前記第１ガイドピン及び第２ガイドピンの少なくともいずれか一方が前記第１ガイド孔及び前記第２ガイド孔の上端に対して係止し、前記ロック部材が前記第１の非ロック位置に位置するときは前記ロック部材の上端が、前記足場用横架部材に当接して上方へ押圧された状態で、前記第１ガイドピンが前記第１ガイド孔の下端が有する第１移動規制部に当接係止し、かつ、前記第２ガイドピンが前記第２ガイド孔の下端が有する第２移動規制部に当接係止し、前記ロック部材が前記第２の非ロック位置に位置するときは、前記第１ガイドピンが、前記第１ガイド孔の上下両端間の上部内周面において、中間部に凹設された係止凹部に係止することが好ましい。
【発明の効果】
【００３６】
本発明によれば、ロック部材をロックさせたいときにロック位置に必ず移動させることができる効果がある。
【図面の簡単な説明】
【００３７】
【図１】（ａ）は足場用踏み板の配置状態を示す斜視図、（ｂ）は足場用踏み板の配置状態を示す部分拡大図。
【図２】足場に足場用踏み板を掛けた状態の斜視図。
【図３】（ａ）は足場用踏み板を横パイプに掛けた状態を示す平面図、（ｂ）は同じく側面図。
【図４】フック部のフック部材、ロック部材の側面図。
【図５】（ａ）はロック部材がロック位置に位置するときの説明図、（ｂ）はロック部材が第１の非ロック位置に位置するときの説明図、（ｃ）はロック部材が第２の非ロック位置に位置するときの説明図。
【図６】（ａ）はロック部材が第２の非ロック位置に位置するときの説明図、（ｂ）はロック部材がロック位置に位置するときの説明図。
【図７】（ａ）は、横パイプが掛止凹部の外部空間に位置してロック部材がロック位置に位置するときの説明図、（ｂ）はロック部材が第１の非ロック位置に位置するときの説明図、（ｃ）は横パイプが掛止凹部内に位置してロック部材がロック位置に位置するときの説明図。
【図８】（ａ）は従来のロック部材がロック位置に位置するときの説明図、（ｂ）は従来のロック部材が非ロック位置終端位置に位置するときの説明図、（ｃ）は従来のロック部材が非ロック中間位置に位置するときの説明図。
【図９】（ａ）は従来のロック部材が非ロック中間位置に位置するときの説明図、（ｂ）は従来のロック部材がロック位置に位置するときの説明図。
【図１０】（ａ）は従来のロック部材がロック位置に位置するときの説明図、（ｂ）は従来のロック部材が非ロック終端位置に位置するときの説明図。
【発明を実施するための形態】
【００３８】
図１〜図７を参照して、以下、本発明を具体化した一実施形態の足場用踏み板を説明する。
図２に示すように、足場１０は、図示しない建物の壁面に沿って並設された複数の枠体１３と、相互に隣接する枠体１３間に架設された足場用踏み板２０を有している。以下、足場用踏み板を単に踏み板という。枠体１３は、支柱となる縦パイプ１１と縦パイプ１１間に架設された足場用横架部材としての横パイプ１２とからなる。
【００３９】
図１に示すように、踏み板２０は、長手方向に延出された布板部２１と、前記布板部２１の長手方向の両端部に設けられた一対のフック部材２２Ａ、２２Ｂを１組とする２組のフック部２２を有している。各組のフック部２２は、各端部において、長手方向と直交する幅方向の両縁部側に設けられており、枠体１３の横パイプ１２に掛けられている。
【００４０】
踏み板２０の各組のフック部２２は、踏み板２０の４隅を結ぶ一方の対角線位置に配置された金属製のフック部材２２Ａと、他方の対角線位置に配置された金属製のフック部材２２Ｂとにて構成されている。図３（ａ）に示すように、フック部材２２Ａは踏み板２０の幅方向外側へ屈曲形成されている。また、フック部材２２Ｂは踏み板２０の幅方向内側へ屈曲形成されている。このように、フック部材２２Ａ、２２Ｂが屈曲形成されていることにより、相互に隣接する踏み板２０同士をフック部材２２Ａ、２２Ｂにて共通の横パイプ１２に掛けたときに、相互に対向する踏み板２０の端部におけるフック部材２２Ａ間に、各フック部材２２Ｂが挿入配置される。
【００４１】
図１（ａ）、図１（ｂ）に示すように布板部２１は、踏み板２０の幅方向に並設された一対の床板２５、２６を有している。床板２５、２６は長方形をなす鋼板等の金属製であって、四角板状の上側壁２５ｃ、２６ｃと、上側壁２５ｃ、２６ｃの幅方向に位置する一対の側部２５ａ、２５ｂ、２６ａ、２６ｂを有している。側部２５ａ、２５ｂ、２６ａ、２６ｂは、上側壁２５ｃ、２６ｃから下方へチャンネル状にそれぞれ折曲げ形成されている。床板２５、２６同士は、側部２５ａ、２６ｂの下部間に渡されて長手方向に所定間隔を置いて配置された複数の連結部材（図示しない）が、側部２５ａ、２５ｂ、２６ａ、２６ｂに対して溶接固定されていることにより、相互に一体となっている。また、踏み板２０（すなわち、床板２５、２６）の長手方向の両端部には、端部部材３０が溶接、或いはリベット等による固定手段により固定されている。図１（ａ）、図１（ｂ）及び図３（ａ）に示すように端部部材３０には、相互に対向する他の端部部材３０との間の間隙を覆う隙間カバー４０が取付けられている。
【００４２】
また、踏み板２０の長手方向の一方（図３（ａ）、図３（ｂ）では右方)の端部の内面（すなわち、床板２５の側部２５ａの一方の端部内面及び床板２６の側部の端部２６ｂの一方の端部内面）に対して、フック部材２２Ａ、２２Ｂがボルト等により一体に締付固定されている。また、踏み板２０の長手方向の他方（図３（ａ）、図３（ｂ）では左方)の端部の内面（すなわち、床板２５の側部２５ａの他方の端部内面及び床板２６の側部の端部２６ｂの他方の端部内面）に対して、フック部材２２Ａ、２２Ｂがボルト等により一体に固定されている。フック部材２２Ａ、２２Ｂの厚み方向の側面には、それぞれロック部材２７Ａ、２７Ｂが移動可能に配置されている。
【００４３】
ここで、フック部材２２Ａ、２２Ｂの構成は互いに同一であり、また、ロック部材２７Ａ、２７Ｂの構成も互いに同じであるため、以下では、フック部材２２Ａ及びロック部材２７Ａについて説明する。
【００４４】
図５（ａ）〜図５（ｃ）に示すように、フック部材２２Ａは、横パイプ１２に対して掛け止めするための掛止凹部５１を有しており、掛止凹部５１の開口５１ａは下方の外部空間と連通されている。開口５１ａの開口距離（すなわち、開口量）は横パイプ１２の直径よりも長くされている。前記フック部材２２Ａの厚み方向の側面には、ロック部材２７Ａが設けられている。また、フック部材２２Ａにおいて、横パイプ１２の延出方向（図５（ａ）〜図５（ｃ）の紙面と直交する方向）の一側面における上部側部位及び下部側部位には、第１ガイドピン５３及び第２ガイドピン５５が同方向へ向くように突出されている。ロック部材２７Ａは、上下に配置された長孔状の第１ガイド孔５６及び第２ガイド孔５８が透設されていて、側面視した場合では、第１ガイド孔５６及び第２ガイド孔５８はハ字状に配置されている。第１ガイド孔５６及び第２ガイド孔５８には第１ガイドピン５３及び第２ガイドピン５５がそれぞれ抜け出し不能に挿入されている。ロック部材２７Ａは、第１ガイド孔５６及び第２ガイド孔５８が許容する範囲において、すなわち、ロック位置と非ロック終端位置間において、フック部材２２Ａが掛けられて掛止凹部５１内に係入された横パイプ１２の周りを回転自在（移動自在）となっている。
【００４５】
図５（ｂ）に示すように、第１ガイド孔５６の下端５６ｂは、掛止凹部５１側に寄るように屈折されて、下端５６ｂ内周の掛止凹部５１側を第１移動規制部５６ｃとし、第１の非ロック位置のときは、第１ガイドピン５３が第１移動規制部５６ｃに係止可能としている。また、図５（ｂ）に示すように、第２ガイド孔５８の下端５８ｂは、掛止凹部５１側に寄るように屈折されており、下端５８ｂ内周において、反掛止凹部５１側の上部には第２ガイド孔５８が延びる方向とは直交する孔内方へ向かう突起を備えている。この突起と下端面間で区画された部位を第２移動規制部５８ｃとし、第１の非ロック位置のときは、第２ガイドピン５５を第２移動規制部５８ｃに係止可能としている。
【００４６】
＜第１の非ロック位置＞
ロック部材２７Ａが第１の非ロック位置に位置すると、図５（ｂ）の側面視において、ロック部材２７Ａの下端が、開口５１ａと重なった位置から退避しており、開口５１ａを横パイプ１２の直径よりも大きく開放する、すなわち、開口量を多くしている。このようにロック部材２７Ａが第１の非ロック位置に位置すると、掛止凹部５１内の横パイプ１２は開口５１ａから外部空間へ相対的に移動できるようにしている。
【００４７】
また、ロック部材２７Ａが第１の非ロック位置に位置すると、ロック部材２７Ａの上端２８が掛止凹部５１の上部と重なるように進出し、掛止凹部５１内に横パイプ１２が係入されている場合、横パイプ１２に対して当接可能となっている。すなわち、第１の非ロック位置に位置したロック部材２７Ａは、掛止凹部５１内の横パイプ１２に上端２８が当接すると、第１ガイドピン５３及び第２ガイドピン５５が第１ガイド孔５６の第１移動規制部５６ｃ及び第２ガイド孔５８の第２移動規制部５８ｃにそれぞれ係止する。このことにより、ロック部材２７Ａは３点で拘束されてこの位置に保持される。
【００４８】
＜ロック位置＞
第１ガイド孔５６の上端５６ａにおいて、反掛止凹部５１側の内周面には突起５６ｅが突設されている。そして、図５（ａ）に示すように、ロック部材２７Ａが移動位置としてのロック位置に位置するときは、ロック部材２７Ａが自重により、第１ガイドピン５３が、上端５６ａにおいて、第１ガイド孔５６の突起５６ｅよりも上方領域に位置する。この上方領域に第１ガイドピン５３が位置するとは、上端５６ａに係止していてもよい場合を含む。また、この場合、第１ガイドピン５３及び第２ガイドピン５５のうち、少なくともいずれか一方のガイドピンが、ガイド孔の上端５６ａ、５８ａに対して係止している。なお、一方のみがガイドピンがガイド孔の上端５６ａ、５８ａに対して係止している場合は、他方のガイドピンは相対する上端に対しては接近した位置に位置する。
【００４９】
本実施形態の図５（ａ）では、第１ガイドピン５３が第１ガイド孔５６の上端５６ａに係止し、第２ガイドピン５５が第２ガイド孔５８の上端５８ａに対しては、近位に位置している状態が図示されている。
【００５０】
ロック部材２７Ａがロック位置に位置すると、ロック部材２７Ａの下端が、開口５１ａを狭く、すなわち、開口量を少なくするように進出して、図５（ａ）に示すように側面視において、ロック部材２７Ａの下端と、反ロック部材側の開口５１ａの一端との距離（すなわち、開口量）が横パイプ１２の直径よりも、短くするようにしている。このようにロック部材２７Ａがロック位置に位置することにより、掛止凹部５１内の横パイプ１２は開口５１ａから外部空間へ相対的に移動できないようにしている。
【００５１】
また、ロック部材２７Ａがロック位置に位置すると、ロック部材２７Ａの上端２８は、掛止凹部５１に重ならないように退出するようにしている。なお、ロック部材２７Ａの上端２８が上記のように掛止凹部５１に重ならないように退出した場合、掛止凹部５１内でフック部材２２Ａに係止されている横パイプ１２に対しては、当接状態を保持してもよく、或いは当接しないようにしてもよい。
【００５２】
＜第２の非ロック位置＞
図５（ｃ）に示すように、第１ガイド孔５６の上端５６ａと下端５６ｂ間の中間部において、反掛止凹部５１側の内周面には、突起５６ｅの下方において隣接するように係止凹部５６ｄが第１ガイドピン５３を係入離脱可能に凹設されている。係止凹部５６ｄに第１ガイドピン５３が係入し、かつ、第２ガイド孔５８において、第２ガイドピン５５が第２移動規制部５８ｃから上方へ離脱して中間部に位置するロック部材２７Ａの位置を、第２の非ロック位置としている。図５（ｃ）に示すように、第２の非ロック位置では、側面視において、ロック部材２７Ａは、第１の非ロック位置に位置している場合よりもその下端が下方へ、かつ、開口５１ａを狭める（すなわち、開口量を少なくする）位置に位置するように配置される。しかし、この場合においても、開口５１ａを横パイプ１２の直径よりも大きく（すなわち、開口量が多く）なるようにしている。すなわち、図５（ｃ）に示すロック部材２７Ａの第２の非ロック位置においては、掛止凹部５１内の横パイプ１２は開口５１ａから外部空間へ相対的に移動できるようにしている。
【００５３】
また、ロック部材２７Ａが第２の非ロック位置に位置すると、係止凹部５６ｄと第１ガイドピン５３間、及び第２ガイドピン５５と第２ガイド孔５８間との遊びの許容範囲で、ロック部材２７Ａが第１ガイドピン５３の周りで揺動自在及び上下方向へ移動自在とされている。このようにロック部材２７Ａが第２の非ロック位置に位置している状態で揺動自在及び上下方向へ移動自在とされていることにより、ロック部材２７Ａは、掛止凹部５１内に係入した横パイプ１２が上端２８に当接された際に揺動等されて、上端２８の掛止凹部５１との重なりを解消するようにされている。
【００５４】
また、ロック部材２７Ａの上端２８は、ロック部材２７Ａが、第１の非ロック位置と第２の非ロック位置の間にある場合は、掛止凹部５１の上部への重なりを有するように形成されている。また、ロック部材２７Ａが第２の非ロック位置に位置している際、掛止凹部５１の上部との重なりがある状態のロック部材２７Ａの上端２８に対し、横パイプ１２が当接して上方への押圧があった場合は、横パイプ１２との当接を保持した状態で、ロック部材２７Ａは、下方へ回動操作されるように形成されている。そして、上端２８と横パイプ１２との当接が保持された状態で、この回動操作により、第１ガイドピン５３が相対的に突起５６ｅを乗り越えて係止凹部５６ｄから離脱することによりロック部材２７Ａがロック位置に移動させるようにされている。
【００５５】
（実施形態の作用）
（１）踏み板２０の解体時
踏み板２０が組付けられている足場を解体する場合について説明する。まず、布板部２１の長手方向の一端部側の各ロック部材２７Ａを、作業者は図５（ａ）に示すロック位置から図５（ｂ）に示す第１の非ロック位置に位置させた状態にする。
【００５６】
このとき、図５（ｂ）に示すように、ロック部材２７Ａは上端２８が掛止凹部５１の上部と重なるように進出して掛止凹部５１内に係入されている横パイプ１２に対して当接し、第１ガイドピン５３及び第２ガイドピン５５が第１ガイド孔５６及び第２ガイド孔５８の第１移動規制部５６ｃ及び第２移動規制部５８ｃにそれぞれ係止する。このことにより、ロック部材２７Ａは拘束されてこの位置に保持される。
【００５７】
この後、踏み板２０を上方へ持ち上げると、図５（ｃ）に示すように、ロック部材２７Ａは、その上端２８の横パイプ１２への当接がなくなり、ロック部材２７Ａの拘束が解除される。この拘束の解除により、ロック部材２７Ａは、自重で下方へ移動する。すなわち、下方へ移動したロック部材２７Ａは、第１の非ロック位置に位置したときに、下端５６ｂの上方に位置していた係止凹部５６ｄに対して第１ガイドピン５３が係入され、第２ガイドピン５５は、第２ガイド孔５８において、中間部に位置する第２の非ロック位置に相対的に移動する。
【００５８】
この状態では、掛止凹部５１内の横パイプ１２は開口５１ａから外部空間へ相対的に移動できるため、さらに踏み板２０を上方へ移動させて、横パイプ１２をフック部材２２Ａの開口５１ａから抜け出させる。布板部２１の長手方向の他端部側における各ロック部材２７Ａについても同様に行われる。このようにして踏み板２０は、横パイプ１２に対する掛け止めが解消されて撤収される。
【００５９】
次に、踏み板２０を横パイプ１２に掛け渡す場合について説明する。
（２）踏み板２０の組立時
図６（ａ）に示すように、ロック部材２７Ａが第２の非ロック位置に位置している状態で、踏み板２０を横パイプ１２に掛け渡す場合がある。
【００６０】
この場合、図６（ａ）に示す状態で、開口５１ａから横パイプ１２を掛止凹部５１内に係入する。このとき、フック部材２２Ａの掛け方に勢いが有る無しに関係なく、ロック部材２７Ａの上端２８が、掛止凹部５１内に係入された横パイプ１２に当たると、ロック部材２７Ａは当接して上方へ押圧される。そして、上端２８はこの横パイプとの当接を保持した状態で、第１ガイドピン５３と係止凹部５６ｄとの係合が解除されて、第１ガイドピン５３が突起５６ｅを相対的に乗り越えて回動される。すなわち、ロック部材２７Ａは、第２の非ロック位置から、ロック位置へ回動操作される（図６（ｂ）参照）。このようにして、フック部材２２Ａの掛止凹部５１内に係入した横パイプ１２に対して踏み板２０が掛けられる。
【００６１】
（３）踏み板２０の組立時
また、図７（ａ）に示すように、ロック部材２７Ａがロック位置に位置している状態であって、ロック部材２７Ａの下端の下方から横パイプ１２をフック部材２２Ａの掛止凹部５１内に係入させることにより、踏み板２０を横パイプ１２に掛け渡す場合がある。
【００６２】
この場合は、図７（ａ）、図７（ｂ）に示すように、踏み板２０を横パイプ１２の上方から下方へ移動させて、横パイプ１２にロック部材２７Ａの下端を押し当てる。すると、ロック部材２７Ａは、第１ガイドピン５３及び第２ガイドピン５５と第１ガイド孔５６及び第２ガイド孔５８とが摺接して上方へ移動し、ロック部材２７Ａの下端と掛止凹部５１の開口５１ａとの重なりが減少する。そして、開口５１ａとロック部材２７Ａの下端間の離間距離が、横パイプ１２の直径よりも大きく開放されると、掛止凹部５１内に横パイプ１２が係入される。
【００６３】
そして、掛止凹部５１内に横パイプ１２が係入されると、横パイプ１２によるロック部材２７Ａの下端への上方への押圧が解除されるため、ロック部材２７Ａは、自重により下方へ回動する。このとき、フック部材１００の掛け方に勢いが有る無しに関係なく、ロック部材２７Ａの上端２８が、掛止凹部５１内に係入された横パイプ１２に当たり、この横パイプとの当接を保持した状態で、ロック部材２７Ａの上端を上方へ押圧する。このため、ロック部材２７Ａは、ロック位置へ回動操作される（図７（ｃ）参照）。このようにして、フック部材２２Ａの掛止凹部５１内に係入した横パイプ１２に対して踏み板２０が掛けられる。なお、ロック部材２７Ａが、自重により下方へ回動した際に、踏み板２０の掛け方の動作が遅いと、図６（ａ）に示すように係止凹部５６ｄに第１ガイドピン５３が一旦係合される場合もある。この場合には、「（２）踏み板２０の組立時」の説明と同様にしてフック部材２２Ａの掛止凹部５１内に係入した横パイプ１２に対して踏み板２０が掛けられる。
【００６４】
本実施形態では、下記の特徴を有する。
（１）本実施形態の踏み板２０では、フック部材２２Ａ、２２Ｂは横パイプ１２（足場用横架部材）に掛け止めする掛止凹部５１を有している。ロック部材２７Ａ、２７Ｂは、フック部材２２Ａ、２２Ｂに移動自在に支持されている。ロック部材２７Ａ、２７Ｂの下端によって掛止凹部５１の下部に有する開口５１ａの開口量を調節する移動位置には、ロック位置、第１の非ロック位置及び第２の非ロック位置を含む。ロック位置は、掛止凹部５１の開口５１ａからの横パイプ１２の離脱を阻止する。また、第１の非ロック位置は、横パイプ１２の離脱を許容する。また、第２の非ロック位置は、ロック位置と第１の非ロック位置との間に位置して横パイプ１２の離脱を許容する。また、ロック部材２７Ａ、２７Ｂの上端は、ロック部材２７Ａ、２７Ｂが、第１の非ロック位置と第２の非ロック位置の間にある場合は、掛止凹部５１の上部への重なりを有するように形成されている。また、ロック部材２７Ａ、２７Ｂの上端は、第２の非ロック位置にロック部材２７Ａ、２７Ｂが位置している状態で、横パイプ１２が当接して上方への押圧があった場合は、横パイプ１２との当接を保持した状態で、ロック位置に移動させる。この結果、本実施形態によれば、ロック部材をロックさせたいときにロック位置に必ず移動させることができる効果を奏する。
【００６５】
（２）本実施形態の踏み板２０では、ロック部材２７Ａ、２７Ｂの上端２８が掛止凹部５１の上部との重なりがなく配置されるロック位置では、ロック部材２７Ａ、２７Ｂの下端が、掛止凹部５１の開口５１ａと重なるように前記足場用横架部材と干渉可能に位置して横パイプ１２の掛止凹部５１からの離脱が防止できる。
【００６６】
（３）本実施形態の踏み板２０では、第１の非ロック位置は、ロック部材２７Ａの上端が、掛止凹部５１の上部に重なるように配置され、ロック部材２７Ａ、２７Ｂの下端が、ロック位置に位置するときよりも掛止凹部５１の開口５１ａを横パイプ１２が係入離脱可能に開放する。この結果、本実施形態によれば、第１の非ロック位置にロック部材２７Ａ、２７Ｂが位置するときは、ロック部材２７Ａ、２７Ｂの下端が、ロック位置に位置するときよりも掛止凹部５１の開口５１ａを横パイプ１２が係入離脱可能に開放するため、足場の組立時に、踏み板２０を横パイプ１２に対し好適に掛けることができる。
【００６７】
（４）本実施形態の踏み板２０では、第２の非ロック位置は、ロック部材２７Ａ、２７Ｂの上端２８が、第１の非ロック位置に位置するときよりも、下方に位置するように配置される。また、ロック部材２７Ａ、２７Ｂの上端２８は、ロック部材２７Ａ、２７Ｂの下端が、第１の非ロック位置に位置するときよりも掛止凹部５１の開口５１ａの開口量を少なくして横パイプ１２の係入離脱可能に開放する。この結果、本実施形態によれば、第２の非ロック位置にロック部材２７Ａ、２７Ｂが位置するときは、ロック部材２７Ａ、２７Ｂの下端が、掛止凹部５１の開口５１ａを横パイプ１２が係入離脱可能に開放するため、足場の組立時に、踏み板２０を横パイプ１２に対し好適に掛けることができる。
【００６８】
（５）本実施形態の踏み板２０では、フック部材２２Ａ、２２Ｂには、第１ガイドピン５３及び第２ガイドピン５５が上下に配置され、ロック部材２７Ａ、２７Ｂは、ともに長孔状をなす第１ガイド孔５６及び第２ガイド孔５８が、ハ字状に配置されている。そして、各ガイド孔に対して第１ガイドピン５３及び第２ガイドピン５５がそれぞれ摺動自在に挿入されている。ロック部材２７Ａ、２７Ｂがロック位置に位置するときは、第１ガイドピン５３及び第２ガイドピン５５のうち、少なくともいずれか一方が第１ガイド孔５６及び第２ガイド孔５８の上端に対して係止する。また、ロック部材２７Ａ、２７Ｂが第１の非ロック位置に位置するときはロック部材２７Ａ、２７Ｂの上端２８が、横パイプ１２に当接して上方へ押圧された状態で第１ガイドピン５３及び第２ガイドピン５５が、第１ガイド孔５６の下端が有する第１移動規制部５６ｃ及び第２ガイド孔５８の下端が有する第２移動規制部５８ｃにそれぞれ当接係止する。そして、ロック部材２７Ａ、２７Ｂが、第２の非ロック位置に位置するときは、第１ガイドピン５３が、第１ガイド孔５６の上下両端間の上部内周面において、中間部に凹設された係止凹部５６ｄに係止する。
【００６９】
この結果、本実施形態では、第１ガイドピン５３及び第２ガイドピン５５のうち、少なくともいずれか一方が第１ガイド孔５６及び第２ガイド孔５８の上端に対して係止するロック位置において、掛止凹部５１の開口５１ａからの横パイプ１２の離脱を阻止する。また、ロック部材２７Ａ、２７Ｂの上端２８が、横パイプ１２に当接して上方へ押圧された状態で第１ガイドピン５３及び第２ガイドピン５５が、第１ガイド孔５６の下端が有する第１移動規制部５６ｃ及び第２ガイド孔５８の下端が有する第２移動規制部５８ｃにそれぞれ当接係止する。このことにより、ロック部材２７Ａ、２７Ｂを第１の非ロック位置に位置させることができる。また、第１ガイドピン５３が、第１ガイド孔５６の上下両端間の上部内周面において、中間部に凹設された係止凹部５６ｄに係止するときは、ロック部材２７Ａ、２７Ｂを、第２の非ロック位置に位置させることができる。
【００７０】
なお、本発明の実施形態は前記実施形態に限定されるものではなく、下記のように変更しても良い。
・前記実施形態では、ロック部材２７Ａ，２７Ｂを、フック部材２２Ａ、２２Ｂに直接支持するようにした。この代わりに、図３（ａ）の二点鎖線で示すように端部部材３０に対して支持部材６０をフック部材２２Ａ、２２Ｂと同方向に向かうように設け、この支持部材６０に対して、ロック部材２７Ａ，２７Ｂを設けてもよい。この支持部材６０には、第１ガイドピン、第２ガイドピンを設けて、ロック部材２７Ａ，２７Ｂの第１ガイド孔及び第２ガイド孔に対して、前記実施形態と同様に抜け出し不能に設けるものとする。
【００７１】
・前記実施形態では、足場用横架部材としての横パイプ１２としたが、足場用横架部材としてパイプ状に限定するものではない。例えば、足場用横架部材を丸棒状、或いは断面Ｌ字状等の断面形状であってもよい。
【符号の説明】
【００７２】
１０…足場、１１…縦パイプ、１２…横パイプ（足場用横架部材）、
１３…枠体、２０…足場用踏み板、２１…布板部、２２…フック部、
２２Ａ、２２Ｂ…フック部材、２５…床板、２５ａ、２５ｂ…側部、
２５ｃ…上側壁、２６…床板、２６ａ、２６ｂ…側部、２６ｃ…上側壁、
２７Ａ、２７Ｂ…ロック部材、２８…上端、３０…端部部材、
４０…隙間カバー、５１…掛止凹部、５１ａ…開口、
５３…第１ガイドピン、５５…第２ガイドピン、５６…第１ガイド孔、
５６ａ…上端、５６ｂ…下端、５６ｃ…第１移動規制部、
５６ｄ…係止凹部、５８…第２ガイド孔、５８ａ…上端、５８ｂ…下端、
５８ｃ…第２移動規制部、６０…支持部材、
１００…フック部材、１０１…掛止凹部、１０１ａ…開口、
１０２…ロック部材、１０２ａ…上端、１０３…ピン、１０４…横パイプ、
１０５…ピン、１０６…ガイド孔、１０６ａ…上端、１０６ｂ…下端、
１０６ｄ…係止凹部、１０８…ガイド孔、１０８ａ…上端、
１０８ｂ…下端、１０８ｃ…移動規制部。
【図１】
2019011603.tif 000003
【図２】
2019011603.tif 000004
【図３】
2019011603.tif 000005
【図４】
2019011603.tif 000006
【図５】
2019011603.tif 000007
【図６】
2019011603.tif 000008
【図７】
2019011603.tif 000009
【図８】
2019011603.tif 000010
【図９】
2019011603.tif 000011
【図１０】
2019011603.tif 000012